(57)【要約】【課題】  電力消費量を増大させることなく、ユーザが操作したタイミングで番組情報を更新させる際の更新に要する時間を短縮することができる携帯情報端末を提供する。【解決手段】  チャンネルの異なる複数の放送波のいずれかを受信して受信データを生成するデジタルチューナー１４と、受信データから当該チャンネルの番組情報を抽出する番組情報抽出部１５と、各チャンネルの番組情報に基づいて番組表を作成する番組表作成部２１と、番組表の表示操作に基づいて放送波の前回の受信時以降に放送が終了した番組数を判定する番組数判定部２４と、番組数と閾値との比較結果に基づいて、デジタルチューナー１４に放送波の受信を指示する受信制御部２７と、新たに取得された番組情報に基づいて番組表を更新する番組表更新部２８により構成される。【選択図】  図３
2010171908.tif 000002
【特許請求の範囲】
【請求項１】
チャンネルの異なる２以上の放送波のいずれかを受信して受信データを生成する放送波受信手段と、
上記受信データから当該チャンネルの番組情報を抽出する番組情報抽出手段と、
上記各チャンネルの番組情報に基づいて、番組表を作成する番組表作成手段と、
最後に作成された番組表以降に放送が終了した番組数を判定する番組数判定手段と、
上記番組数と閾値との比較結果に基づいて、上記放送波受信手段に放送波の受信を指示する受信制御手段と、
新たに取得された番組情報に基づいて、上記番組表を更新する番組表更新手段とを備えたことを特徴とする携帯情報端末。
【請求項２】
チャンネルの異なる２以上の放送波のいずれかを受信して受信データを生成する放送波受信手段と、
上記受信データから当該チャンネルの番組情報を抽出する番組情報抽出手段と、
上記各チャンネルの番組情報に基づいて、番組表を作成する番組表作成手段と、
上記番組表の表示操作に基づいて、放送波の前回の受信時以降に放送が終了した番組数を判定する番組数判定手段と、
上記番組数と閾値との比較結果に基づいて、上記放送波受信手段に放送波の受信を指示する受信制御手段と、
新たに取得された番組情報に基づいて、上記番組表を更新する番組表更新手段とを備えたことを特徴とする携帯情報端末。
【請求項３】
上記表示操作に基づいて、上記番組表を表示する番組表表示手段を備え、
上記番組表表示手段は、取得済みの番組情報を表示した後、更新が終了したチャンネルの番組情報を順次に表示することを特徴とする請求項２に記載の携帯情報端末。
【請求項４】
上記番組表更新手段は、放送開始前の番組数が最も少ないチャンネルの番組情報から順次に更新することを特徴とする請求項３に記載の携帯情報端末。
【請求項５】
上記受信制御手段が、１回の受信で取得される番組数に応じて上記閾値を異ならせることを特徴とする請求項１又は２に記載の携帯情報端末。
【請求項６】
上記受信制御手段は、１回の受信で取得される番組数が多いチャンネルほど上記閾値を大きくすることを特徴とする請求項５に記載の携帯情報端末。
【請求項７】
チャンネルの異なる２以上の放送波のいずれかを受信して受信データを生成する放送波受信手段と、
上記受信データから当該チャンネルの番組情報を抽出する番組情報抽出手段と、
上記各チャンネルの番組情報に基づいて、番組表を作成する番組表作成手段と、
上記番組表の表示操作に基づいて、放送開始前の番組数を判定する番組数判定手段と、
上記放送波受信手段に上記番組数が一定値よりも少ないチャンネルの受信を指示する受信制御手段と、
新たに取得された番組情報に基づいて、上記番組表を更新する番組表更新手段とを備えたことを特徴とする携帯情報端末。
【請求項８】
チャンネルの異なる２以上の放送波のいずれかを受信して受信データを生成する放送波受信手段と、
上記受信データから当該チャンネルの番組情報を抽出する番組情報抽出手段と、
上記各チャンネルの番組情報に基づいて、番組表を作成する番組表作成手段と、
上記番組表の表示操作に基づいて、最後の番組の放送終了までの時間を判定する放送終了時間判定手段と、
上記放送波受信手段に上記時間が一定値よりも短いチャンネルの受信を指示する受信制御手段と、
新たに取得された番組情報に基づいて、上記番組表を更新する番組表更新手段とを備えたことを特徴とする携帯情報端末。
【発明の詳細な説明】
【技術分野】
【０００１】
本発明は、携帯情報端末に係り、さらに詳しくは、チャンネルの異なる複数の放送波のいずれかを受信して番組情報を取得する携帯情報端末の改良に関する。
【背景技術】
【０００２】
放送波を受信して番組を視聴することができる携帯電話機が従来から知られている。地上デジタル放送の場合、移動体向けの放送サービスとして、ワンセグ放送サービスが提供されており、携帯電話機などの携帯情報端末では、ワンセグ放送波を受信して所望の番組を視聴することができる。ワンセグ放送波の場合、ＴＶ映像及び音声と共に、放送中の番組や放送予定の番組に関する番組情報が放送信号として伝送される。この番組情報は、チャンネル情報、番組名、各番組の放送開始時刻及び放送終了時刻、番組内容などからなり、通常、ユーザ操作に基づいて放送波をスキャンし、視聴可能なチャンネルの番組情報が取得される。取得した各チャンネルの番組情報は、例えば、電子番組表（ＥＰＧ）として一覧表示される。
【０００３】
しかしながら、従来の携帯情報端末では、チャンネルの異なる複数の放送波について、放送波を順に受信し、視聴可能なチャンネルをサーチして番組情報を取得するので、操作してから番組表が表示されるまでの時間が長いという問題があった。例えば、特許文献１には、一定時間ごとに放送信号をスキャンして番組情報を自動的に更新する技術が開示されている。この特許文献１には、複数の受信部を備え、番組の視聴に使用している受信部とは異なる受信部を用いて放送信号をスキャンし、視聴可能なチャンネルの番組情報を自動的に取得する受信装置が記載されている。この受信装置では、放送信号をスキャンして番組情報を自動更新させる時間間隔を短くしておけば、比較的に新しい番組情報をユーザが操作したタイミングで速やかに表示させることができる。しかしながら、短い時間間隔で番組情報を自動更新させると、電力消費量が大きくなってしまうという問題があった。
【０００４】
なお、特許文献２には、インターネット上のサーバからネットワーク経由で番組情報を取得して電子番組表を更新する技術が開示されている。また、特許文献３には、電源遮断時に番組情報を取得しておくことにより、電源投入してから電子番組表が表示されるまでの時間を短縮する技術が開示されている。また、特許文献４には、電子番組表の操作を妨げることなく、番組情報の更新処理を行う技術が開示されている。これらの特許文献２から４は、ユーザが操作したタイミングで最新の番組情報を取得させる場合に、操作してから番組表が表示されるまでの時間を短縮させるものではない。
【先行技術文献】
【特許文献】
【０００５】
【特許文献１】特開２００３−２９８９６９号公報
【特許文献２】特開２００４−１４７２３５号公報
【特許文献３】特開２００１−１８６４２６号公報
【特許文献４】特開２００７−２８０７６号公報
【発明の概要】
【発明が解決しようとする課題】
【０００６】
本発明は、上記事情に鑑みてなされたものであり、操作してから番組表が表示されるまでの時間を短縮することができる携帯情報端末を提供することを目的としている。特に、電力消費量を増大させることなく、ユーザが操作したタイミングで番組情報を更新させる際の更新に要する時間を短縮することができる携帯情報端末を提供することを目的としている。
【課題を解決するための手段】
【０００７】
第１の本発明による携帯情報端末は、チャンネルの異なる２以上の放送波のいずれかを受信して受信データを生成する放送波受信手段と、上記受信データから当該チャンネルの番組情報を抽出する番組情報抽出手段と、上記各チャンネルの番組情報に基づいて、番組表を作成する番組表作成手段と、最後に作成された番組表以降に放送が終了した番組数を判定する番組数判定手段と、上記番組数と閾値との比較結果に基づいて、上記放送波受信手段に放送波の受信を指示する受信制御手段と、新たに取得された番組情報に基づいて、上記番組表を更新する番組表更新手段とを備えて構成される。
【０００８】
この様な構成によれば、最後に作成された番組表以降に放送が終了した番組数を判定し、その番組数と閾値との比較結果に基づいて放送波の受信を指示するので、上記番組数に応じて放送波を受信させることができる。従って、一部のチャンネルだけに絞り込んで番組情報を取得させることができるので、番組表の更新ごとに全てのチャンネルを受信するものに比べて電力消費量を抑制することができる。ここで、番組数の判定は、一定時間ごとに自動的に行う場合と、ユーザ操作に基づいて行う場合とが考えられる。
【０００９】
第２の本発明による携帯情報端末は、チャンネルの異なる２以上の放送波のいずれかを受信して受信データを生成する放送波受信手段と、上記受信データから当該チャンネルの番組情報を抽出する番組情報抽出手段と、上記各チャンネルの番組情報に基づいて、番組表を作成する番組表作成手段と、上記番組表の表示操作に基づいて、放送波の前回の受信時以降に放送が終了した番組数を判定する番組数判定手段と、上記番組数と閾値との比較結果に基づいて、上記放送波受信手段に放送波の受信を指示する受信制御手段と、新たに取得された番組情報に基づいて、上記番組表を更新する番組表更新手段とを備えて構成される。
【００１０】
この様な構成によれば、番組表の表示操作に基づいて放送波の前回の受信時以降に放送が終了した番組数を判定し、その番組数と閾値との比較結果に基づいて放送波の受信を指示するので、表示操作時における上記番組数に応じて放送波を受信させることができる。従って、一部のチャンネルだけに絞り込んで番組情報を取得させることができるので、ユーザが操作したタイミングで番組情報を更新させる際の更新に要する時間を短縮することができ、操作してから番組表が表示されるまでの時間を短縮することができる。また、ユーザが操作したタイミングで番組情報を更新させるので、一定時間ごとに自動更新するものに比べて電力消費量を増大させることなく、操作してから番組表が表示されるまでの時間を短縮することができる。
【００１１】
第３の本発明による携帯情報端末は、上記構成に加え、上記表示操作に基づいて、上記番組表を表示する番組表表示手段を備え、上記番組表表示手段が、取得済みの番組情報を表示して後、更新が終了したチャンネルの番組情報を順次に表示するように構成される。この様な構成によれば、表示操作に基づいて番組表を表示する際に、取得済みの番組情報を表示してから、更新が終了したチャンネルの番組情報を順次に表示するので、操作してから番組表が表示されるまでの時間を短縮することができる。
【００１２】
第４の本発明による携帯情報端末は、上記構成に加え、上記番組表更新手段が、放送開始前の番組数が最も少ないチャンネルの番組情報から順次に更新するように構成される。
【００１３】
第５の本発明による携帯情報端末は、上記構成に加え、上記受信制御手段が、１回の受信で取得される番組数に応じて上記閾値を異ならせるように構成される。この様な構成によれば、１回の受信で取得される番組数に応じて受信チャンネルを絞り込むための閾値を異ならせるので、１回の受信で取得される番組数が多いチャンネルの番組情報が頻繁に更新されるのを抑制することができる。
【００１４】
第６の本発明による携帯情報端末は、上記構成に加え、上記受信制御手段が、１回の受信で取得される番組数が多いチャンネルほど上記閾値を大きくするように構成される。
【００１５】
第７の本発明による携帯情報端末は、チャンネルの異なる２以上の放送波のいずれかを受信して受信データを生成する放送波受信手段と、上記受信データから当該チャンネルの番組情報を抽出する番組情報抽出手段と、上記各チャンネルの番組情報に基づいて、番組表を作成する番組表作成手段と、上記番組表の表示操作に基づいて、放送開始前の番組数を判定する番組数判定手段と、上記放送波受信手段に上記番組数が一定値よりも少ないチャンネルの受信を指示する受信制御手段と、新たに取得された番組情報に基づいて、上記番組表を更新する番組表更新手段とを備えて構成される。
【００１６】
この様な構成によれば、番組表の表示操作に基づいて放送開始前の番組数を判定し、その番組数が一定値よりも少ないチャンネルの受信を指示するので、表示操作時における上記番組数に応じて放送波を受信させることができる。従って、一部のチャンネルだけに絞り込んで番組情報を取得させることができるので、ユーザが操作したタイミングで番組情報を更新させる際の更新に要する時間を短縮することができ、操作してから番組表が表示されるまでの時間を短縮することができる。また、ユーザが操作したタイミングで番組情報を更新させるので、一定時間ごとに自動更新するものに比べて電力消費量を増大させることなく、操作してから番組表が表示されるまでの時間を短縮することができる。
【００１７】
第８の本発明による携帯情報端末は、チャンネルの異なる２以上の放送波のいずれかを受信して受信データを生成する放送波受信手段と、上記受信データから当該チャンネルの番組情報を抽出する番組情報抽出手段と、上記各チャンネルの番組情報に基づいて、番組表を作成する番組表作成手段と、上記番組表の表示操作に基づいて、最後の番組の放送終了までの時間を判定する放送終了時間判定手段と、上記放送波受信手段に上記時間が一定値よりも短いチャンネルの受信を指示する受信制御手段と、新たに取得された番組情報に基づいて、上記番組表を更新する番組表更新手段とを備えて構成される。
【００１８】
この様な構成によれば、番組表の表示操作に基づいて最後の番組の放送終了までの時間を判定し、その時間が一定値よりも短いチャンネルの受信を指示するので、表示操作時における放送終了時間に応じて放送波を受信させることができる。従って、一部のチャンネルだけに絞り込んで番組情報を取得させることができるので、ユーザが操作したタイミングで番組情報を更新させる際の更新に要する時間を短縮することができ、操作してから番組表が表示されるまでの時間を短縮することができる。また、ユーザが操作したタイミングで番組情報を更新させるので、一定時間ごとに自動更新するものに比べて電力消費量を増大させることなく、操作してから番組表が表示されるまでの時間を短縮することができる。
【発明の効果】
【００１９】
本発明による携帯情報端末によれば、番組表の表示操作に基づいて放送波の前回の受信時以降に放送が終了した番組数を判定し、その番組数と閾値との比較結果に基づいて放送波の受信を指示するので、表示操作時における上記番組数に応じて放送波を受信させることができる。従って、一部のチャンネルだけに絞り込んで番組情報を取得させることができるので、ユーザが操作したタイミングで番組情報を更新させる際の更新に要する時間を短縮することができ、操作してから番組表が表示されるまでの時間を短縮することができる。また、ユーザが操作したタイミングで番組情報を更新させるので、一定時間ごとに自動更新するものに比べて電力消費量を増大させることなく、操作してから番組表が表示されるまでの時間を短縮することができる。
【図面の簡単な説明】
【００２０】
【図１】本発明の実施の形態１による携帯情報端末の一構成例を示した外観図であり、ワンセグ放送波の受信機能を有する携帯電話機１が示されている。
【図２】図１の携帯電話機１の概略構成の一例を示したブロック図である。
【図３】図２の携帯電話機１の要部における構成例を示したブロック図であり、主制御部１０内の機能構成の一例が示されている。
【図４】図２の携帯電話機１における動作の一例を示した図であり、放送番組の視聴開始時に取得された番組情報３２からなる電子番組表３０が示されている。
【図５】図２の携帯電話機１における番組表の表示動作の一例を示した図であり、番組表の表示操作後の電子番組表３０が示されている。
【図６】図２の携帯電話機１における番組表の表示動作の一例を示した図であり、番組表の表示操作後の電子番組表３０が示されている。
【図７】図２の携帯電話機１における番組表の表示動作の一例を示した図であり、番組表の表示操作後の電子番組表３０が示されている。
【図８】図２の携帯電話機１における番組表表示時の動作の一例を示したフローチャートである。
【図９】図２の携帯電話機１の要部における他の構成例を示したブロック図である。
【図１０】本発明の実施の形態２による携帯情報端末の一構成例を示したブロック図である。
【発明を実施するための形態】
【００２１】
実施の形態１．
図１（ａ）及び（ｂ）は、本発明の実施の形態１による携帯情報端末の一構成例を示した外観図であり、携帯情報端末の一例としてワンセグ放送波の受信機能を有する携帯電話機１が示されている。図１（ａ）は、正面図であり、図１（ｂ）は、側面図である。この携帯電話機１は、スライド式の携帯情報端末であり、ディスプレイ２ａを有する薄型の表示筐体２と、複数の操作キー３ａが配列された薄型の操作筐体３と、表示筐体２及び操作筐体３をスライド可能に連結する連結機構（図示せず）とからなる。
【００２２】
表示筐体２には、受話用のレシーバ２ｂが設けられ、操作筐体３には、送話用のマイクロホン３ｂが設けられている。
【００２３】
携帯電話機１は、チャンネルの異なる複数の放送波のいずれかを受信して番組を視聴することができ、各チャンネルの番組情報をディスプレイ２ａ上に表示する機能を有する。
【００２４】
図２は、図１の携帯電話機１の概略構成の一例を示したブロック図である。この携帯電話機１は、レシーバ２ｂ、マイクロホン３ｂ、ディスプレイ２ａ及び操作キー３ａの他に、主制御部１０、アンテナ１１，１３、セルラー通信部１２、２つのデジタルチューナー１４、番組情報抽出部１５、ＲＯＭ１６及びＲＡＭ１７を備えて構成される。
【００２５】
アンテナ１１は、移動体通信用のアンテナである。セルラー通信部１２は、アンテナ１１を介して基地局との間で通信を行い、通信データを送受信する移動体通信用の送受信部である。通話時に受信した音声信号は、レシーバ２ｂから出力され、マイクロホン３ｂに入力された音声信号が送信される。
【００２６】
アンテナ１３は、放送局から送信される放送波を受信するためのアンテナであり、受信した放送信号は、各デジタルチューナー１４に供給される。
【００２７】
デジタルチューナー１４は、予め指定されたチャンネルの信号を抽出する放送波受信部であり、チャンネルの異なる複数の放送波のいずれか１つを受信して受信データを生成し、主制御部１０へ出力する動作を行っている。例えば、特定の周波数帯域を利用してＴＶ映像などが提供される地上デジタル放送の場合、チャンネルに対応する周波数成分を抽出する動作が行われる。
【００２８】
２つのデジタルチューナー１４は、独立したチャンネルを指定することができ、異なるチャンネルの信号をそれぞれ抽出させることができる。例えば、一方のデジタルチューナー１４を用いてあるチャンネルの放送番組を視聴中に、他方のデジタルチューナー１４を利用することによって、視聴中のチャンネルとは異なるチャンネルの番組情報を含む受信可能な全てのチャンネルの番組情報を取得することができる。
【００２９】
番組情報抽出部１５は、放送波の受信データから番組情報を抽出する動作を行っている。番組情報は、デジタルチューナー１４により受信中のチャンネルに対応する放送局が提供する番組に関する情報であり、例えば、チャンネルの識別情報、放送中や放送予定の番組名、各番組の放送開始時刻及び放送終了時刻、番組内容によって構成される。
【００３０】
ＲＯＭ１６は、放送番組を視聴するための制御プログラムなどが格納されたメモリであり、ＲＡＭ１７は、放送波の受信データから得られる番組情報などを保持するメモリである。
【００３１】
図３は、図２の携帯電話機１の要部における構成例を示したブロック図であり、主制御部１０内の機能構成の一例が示されている。この主制御部１０は、番組表作成部２１、番組表記憶部２２、番組表表示部２３、番組数判定部２４、閾値記憶部２５、比較部２６、受信制御部２７及び番組表更新部２８により構成される。
【００３２】
番組表作成部２１は、ＲＡＭ１７内の番組情報を読み出して番組表を作成する動作を行っている。番組表は、各チャンネルの番組情報からなるテーブルであり、例えば、複数の番組情報がチャンネルの識別情報に関連付けて保持される。
【００３３】
番組表記憶部２２は、番組表作成部２１によって作成された番組表を保持するＲＡＭである。番組表表示部２３は、操作キー３ａの操作信号に基づいて番組表記憶部２２内の番組表を読み出し、ディスプレイ２ａ上に番組表を表示するための画面データを生成する動作を行っている。
【００３４】
番組数判定部２４は、操作キー３ａの操作信号に基づいて、放送波の前回の受信時以降に放送が終了した番組数を判定し、その判定結果を比較部２６へ出力する動作を行っている。具体的には、ユーザによる番組表の表示操作に基づいて番組表記憶部２２内の番組表を参照し、放送波の前回の受信時から表示操作が行われた時点までの間に放送が終了した番組数、すなわち、放送済みの番組数を番組情報に基づいて判定する動作が行われる。
【００３５】
例えば、各番組の放送開始時刻及び放送終了時刻と現在時刻とを比較して、前回の受信時以降に放送が終了した番組の数が算出される。番組数は、受信可能な全てのチャンネルについて、チャンネルごとに算出される。
【００３６】
閾値記憶部２５は、放送波を受信して番組情報を更新するか否かを判定するための所定の閾値Ｔｈ１を保持する不揮発性メモリである。比較部２６は、番組数判定部２４によって判定された番組数と、上記閾値Ｔｈ１とを比較し、その比較結果を受信制御部２７へ出力する動作を行っている。
【００３７】
受信制御部２７は、比較部２６による比較結果に基づいて、デジタルチューナー１４に放送波の受信を指示する動作を行っている。具体的には、番組数判定部２４によって判定された番組数が閾値Ｔｈ１を越えているチャンネルがあれば、その様なチャンネルの番組情報を更新するために、当該チャンネルについて放送波を受信させるチャンネル指示がデジタルチューナー１４に対して出力される。
【００３８】
番組表更新部２８は、受信制御部２７によるチャンネル指示によって新たに取得された番組情報に基づいて、番組表記憶部２２内の番組表を更新する動作を行っている。具体的には、番組数が閾値Ｔｈ１を越えているチャンネルについて、新たに取得された番組情報で番組表内の番組情報を書き換えることによって、番組表が更新される。
【００３９】
ここでは、放送番組の視聴開始時に、番組の視聴に使用するデジタルチューナー１４とは異なるデジタルチューナー１４を用いて放送波をスキャンし、受信可能な全てのチャンネルの番組情報が自動取得されるものとする。具体的には、放送局に割り当てられた周波数帯域を示す物理チャンネルに基づいて、受信周波数を走査させ、視聴可能なチャンネルが抽出される。
【００４０】
従って、放送番組の視聴開始時に、各チャンネルの番組情報を自動取得して番組表が作成される場合には、番組表が最後に作成されたとき以降に放送が終了した番組数が判定されることになる。
【００４１】
また、閾値Ｔｈ１には、例えば、０以上１未満の数が各チャンネルに共通のパラメータとして設定される。この場合、前回の受信時以降に少なくとも１つの番組の放送が終了しているチャンネルが存在すれば、当該チャンネルについて放送波の受信が指示される。つまり、ユーザが操作した時点で、放送が終了した番組数が１以上のチャンネルが１つでもあれば、放送波を受信して番組情報を更新する処理が行われ、その様なチャンネルが存在しなければ、放送波の受信指示は行わない。これにより、番組情報の不必要な更新を抑制することができる。
【００４２】
また、ユーザ操作時の受信指示の対象は、前回の受信時以降に放送が終了した番組数が閾値Ｔｈ１を越えているチャンネルだけであり、番組数が閾値Ｔｈ１を越えていないチャンネルについては、放送波の受信を指示しないものとする。これにより、操作してから番組表が表示されるまでの時間を短縮することができる。
【００４３】
番組表表示部２３では、番組表を表示する際、まず、取得済みの番組情報を表示した後、更新が終了したチャンネルの番組情報を順次に表示する動作が行われる。これにより、操作してから番組表が表示されるまでの時間を短縮することができる。
【００４４】
受信制御部２７では、放送波の受信をデジタルチューナー１４に指示する際、例えば、放送開始前の番組数が最も少ないチャンネルの番組情報から順次に更新するように、チャンネル指示が行われる。具体的には、取得済みの番組情報に基づいて、ユーザ操作が行われた時点における放送開始前の番組数を判定する。そして、前回の受信時以降に放送が終了した番組数が閾値Ｔｈ１を越えているチャンネルについて放送波の受信を指示する際に、上記番組数が最も少ないチャンネルから放送波を受信して番組情報が取得されるようにチャンネル指示が行われる。
【００４５】
これにより、ユーザは、放送開始前の番組数の少ないチャンネルについて、更新後の番組情報を素早く確認することができる。
【００４６】
＜電子番組表＞
図４は、図２の携帯電話機１における動作の一例を示した図であり、放送番組の視聴開始時に取得された番組情報３２からなる電子番組表３０が示されている。この電子番組表３０は、受信可能な全てのチャンネルの番組情報３２をチャンネルの識別情報３１に関連付けて保持するテーブルであり、ユーザ操作に基づいてディスプレイ１５上に画面表示させることができる。
【００４７】
この例では、視聴開始時に自動取得された５つのチャンネル「チャンネルＡ」〜「チャンネルＥ」の各番組情報３２がチャンネルの識別情報３１に対応付けて配列されている。各番組情報３２は、視聴開始時の時刻Ｔ１を基準として、放送順に時系列に配置されている。時刻Ｔ１は、６時以降から７時までの間の時刻となっている。
【００４８】
具体的には、「チャンネルＡ」には、このチャンネルに対応する放送局が提供する３つの番組「番組Ａ１１」〜「番組Ａ１３」の番組情報が対応付けられ、「チャンネルＢ」には、このチャンネルに対応する放送局が提供する３つの番組「番組Ｂ１１」〜「番組Ｂ１３」の番組情報が対応付けられている。また、「チャンネルＣ」には、５つの番組「番組Ｃ１１」〜「番組Ｃ１５」の番組情報が対応付けられ、「チャンネルＤ」には、７つの番組「番組Ｄ１１」〜「番組Ｄ１７」の番組情報が対応付けられ、「チャンネルＥ」には、２つの番組「番組Ｅ１１」〜「番組Ｅ１２」の番組情報が対応付けられている。
【００４９】
通常、１つのチャンネルには、１つの放送局が対応し、放送局から放送波に重畳させて送信される番組情報は、一定時間ごとに更新される。また、１度に更新される番組情報の数、すなわち、番組数やデータサイズは放送局ごとに異なっている。
【００５０】
従来の携帯情報端末では、電子番組表３０を表示するための操作が行われた際、チャンネルＡからチャンネルＥまで受信対象とするチャンネルを順に切り替えながら番組情報が取得されるので、操作してから番組表が表示されるまでの時間が長かった。
【００５１】
これに対して、本実施の形態では、前回の受信時以降に放送が終了した番組数が閾値Ｔｈ１を越えているチャンネルの放送波を受信して番組情報３２を更新し、番組数が閾値Ｔｈ１を越えていないチャンネルについては放送波の受信指示を行わないので、操作してから番組表が表示されるまでの時間を短縮することができる。
【００５２】
例えば、電子番組表３０を表示するための操作が時刻Ｔ２（８時と９時の間の時刻）に行われた場合、前回の受信時以降に放送が終了した番組数は、チャンネルＡでは１、チャンネルＢでは０（該当する番組なし）、チャンネルＣでは１となっている。また、チャンネルＤでは２、チャンネルＥでは０となっている。
【００５３】
従って、閾値Ｔｈ１が０以上１未満の数であれば、３つのチャンネルＡ，Ｃ及びＤについて、放送波の受信を指示して番組情報が更新され、他のチャンネルについては放送波の受信を指示せず、番組情報も更新しない。
【００５４】
図５〜図７は、図２の携帯電話機１における番組表の表示動作の一例を示した図であり、番組表の表示操作後の電子番組表３０が示されている。電子番組表３０をディスプレイ２ａ上に表示させる際に、取得済みの番組情報を表示した後、更新が終了したチャンネルの番組情報が順次に表示される。その際、放送開始前の番組数が最も少ないチャンネルから順次に番組情報が更新される。
【００５５】
チャンネルＡ，Ｃ及びＤについて、時刻Ｔ２における放送開始前の番組数は、チャンネルＡでは１、チャンネルＣでは３、チャンネルＤでは４となっている。従って、番組表の表示操作後、取得済みの番組情報を表示してからまず最初にチャンネルＡについて、新たに取得された番組情報３３が表示される。
【００５６】
図５には、チャンネルＡの番組情報の更新後の電子番組表３０が示されている。この例では、チャンネルＡについて、３番組「番組Ａ１４」〜「番組Ａ１６」が電子番組表３０に追加されている。
【００５７】
チャンネルＡの番組情報の更新後には、チャンネルＣについて、新たに取得された番組情報３４が表示される。
【００５８】
図６には、チャンネルＣの番組情報の更新後の電子番組表３０が示されている。この例では、チャンネルＣについて、５番組「番組Ｃ１６」〜「番組Ｃ２０」が電子番組表３０に追加されている。
【００５９】
さらに、チャンネルＣの番組情報の更新後には、チャンネルＤについて、新たに取得された番組情報３５が表示される。
【００６０】
図７には、チャンネルＤの番組情報の更新後の電子番組表３０が示されている。この例では、チャンネルＤについて、７番組「番組Ｄ１８」〜「番組Ｄ２４」が電子番組表３０に追加されている。チャンネルＤの番組情報の更新が終了すれば、番組表の表示操作に基づく番組情報の更新処理は終了する。
【００６１】
図８のステップＳ１０１〜Ｓ１１１は、図２の携帯電話機１における番組表表示時の動作の一例を示したフローチャートである。まず、番組数判定部２４は、ユーザによる番組表の表示操作に基づいて番組表記憶部２２内の番組表を参照し、番組表内の番組情報に基づいて、前回の受信時以降に放送が終了した番組数を判定する（ステップＳ１０１，Ｓ１０２）。
【００６２】
比較部２６は、番組数判定部２４によって算出された番組数と所定の閾値Ｔｈ１とを比較し（ステップＳ１０３）、受信制御部２７は、その比較結果に基づいてデジタルチューナー１４に放送波の受信を指示する（ステップＳ１０４）。
【００６３】
このとき、番組数が閾値Ｔｈ１を越えているチャンネルが存在すれば、当該チャンネルについて放送波の受信が指示される（ステップＳ１０５）。次に、番組表表示部２３は、まず、取得済みの番組情報を電子番組表として表示する（ステップＳ１０６）。
【００６４】
次に、番組表更新部２８は、放送波の受信が指示されたチャンネルのうち、新たな番組情報が得られれば、当該番組情報によって番組表内の番組情報を更新し（ステップＳ１０７，Ｓ１０８）、そして、番組表表示部２３が、新たに取得できた番組情報を表示する（ステップＳ１０９）。ステップＳ１０７からステップＳ１０９までの処理手順は、未取得のチャンネルがなくなるまで繰り返される（ステップＳ１１０）。
【００６５】
一方、番組数が閾値Ｔｈ１を越えているチャンネルが存在しなかった場合には、取得済みの番組情報を電子番組表として表示し、この処理を終了する（ステップＳ１１１）。
【００６６】
本実施の形態によれば、番組表の表示操作に基づいて放送波の前回の受信時以降に放送が終了した番組数を判定し、その番組数と閾値Ｔｈ１との比較結果に基づいて放送波の受信を指示するので、表示操作時における番組数に応じて放送波を受信させることができる。従って、一部のチャンネルだけに絞り込んで番組情報を取得させることができるので、ユーザが操作したタイミングで番組情報を更新させる際の更新に要する時間を短縮することができ、操作してから番組表が表示されるまでの時間を短縮することができる。また、ユーザが操作したタイミングで番組情報を更新させるので、一定時間ごとに自動更新するものに比べて電力消費量を増大させることなく、操作してから番組表が表示されるまでの時間を短縮することができる。
【００６７】
なお、本実施の形態では、受信チャンネルを絞り込むための閾値Ｔｈ１が各チャンネルに共通のパラメータである場合の例について説明したが、本発明はこれに限られるものではない。例えば、１回の受信で取得される番組数に応じて閾値Ｔｈ１を異ならせても良い。具体的には、１回の受信で取得される番組数が多いチャンネルほど閾値Ｔｈ１を大きくすることが考えられる。この様に構成すれば、１回の受信で取得される番組数に応じて受信チャンネルを絞り込むための閾値を異ならせるので、１回の受信で取得される番組数が多いチャンネルの番組情報が番組表の表示操作ごとに頻繁に更新されるのを抑制することができる。
【００６８】
また、本実施の形態では、番組表を表示する際に、前回の受信時以降に放送が終了した番組数、すなわち、放送済みの番組数に基づいて放送波を受信させる場合の例について説明したが、本発明はこれに限られるものではない。例えば、番組表を表示する際、放送開始前の番組数に基づいて放送波を受信させても良い。具体的には、番組表の表示操作に基づいて放送開始前の番組数、すなわち、未放送の番組数を判定し、この番組数が一定値よりも少ないチャンネルについて、放送波の受信を指示することが考えられる。
【００６９】
図９は、図２の携帯電話機１の要部における他の構成例を示したブロック図であり、放送済みの番組数を判定する番組数判定部２４に代えて、未放送の番組数を判定する番組数判定部４１を備えた主制御部４０が示されている。番組数判定部４１は、操作キー３ａの操作信号に基づいて、未放送の番組数を判定し、その判定結果を比較部２６へ出力する動作を行っている。すなわち、ユーザによる番組表の表示操作に基づいて番組表記憶部２２内の番組表を参照し、表示操作が行われた時点で放送開始前の番組数を番組情報に基づいて判定する動作が行われる。
【００７０】
受信制御部２７では、番組数判定部４１によって判定された番組数が所定の閾値Ｔｈ２よりも少ないチャンネルがあれば、その様なチャンネルの番組情報を更新するために、当該チャンネルについて放送波を受信させるチャンネル指示がデジタルチューナー１４に対して出力される。
【００７１】
番組表表示時の動作としては、図８のステップＳ１０４に対応して、番組数が閾値Ｔｈ２よりも少ないチャンネルが存在すれば、当該チャンネルについて放送波の受信が指示される。
【００７２】
この様に構成すれば、番組表の表示操作に基づいて放送開始前の番組数を判定し、その番組数が一定値よりも少ないチャンネルの受信を指示するので、表示操作時における番組数に応じて放送波を受信させることができる。
【００７３】
実施の形態２．
実施の形態１では、番組表を表示する際に、前回の受信時以降に放送が終了した番組数に基づいて放送波の受信が指示される場合の例について説明した。これに対して、本実施の形態では、番組表を表示する際に、最後の番組の放送終了までの時間に基づいて放送波の受信を指示する場合について説明する。
【００７４】
図１０は、本発明の実施の形態２による携帯情報端末の一構成例を示したブロック図である。この携帯情報端末５０は、図３の携帯電話機１と比較すれば、番組数判定部に代えて放送終了時間判定部５１を備えている点で異なる。
【００７５】
放送終了時間判定部４１は、番組表の表示操作に基づいて最後の番組の放送終了までの時間を判定し、その判定結果を比較部２６へ出力する動作を行っている。最後の番組の放送終了までの時間は、番組表記憶部２２の番組表内の番組情報に基づいて算出される。例えば、取得済みの番組情報のうち、最後に放送予定の番組の終了時刻と現在時刻とから算出される。
【００７６】
受信制御部２７では、上記時間が一定値よりも短いチャンネルの受信をデジタルチューナー１４に指示する動作が行われる。
【００７７】
本実施の形態によれば、番組表の表示操作に基づいて最後の番組の放送終了までの時間を判定し、その時間が一定値よりも短いチャンネルの受信を指示するので、表示操作時における放送終了時間に応じて放送波を受信させることができる。従って、一部のチャンネルだけに絞り込んで番組情報を取得させることができるので、ユーザが操作したタイミングで番組情報を更新させる際の更新に要する時間を短縮することができ、操作してから番組表が表示されるまでの時間を短縮することができる。また、ユーザが操作したタイミングで番組情報を更新させるので、一定時間ごとに自動更新するものに比べて電力消費量を増大させることなく、操作してから番組表が表示されるまでの時間を短縮することができる。
【００７８】
なお、実施の形態１及び２では、番組表の表示操作に基づいて番組数を判定する場合の例について説明したが、本発明はこれに限られるものではない。例えば、一定時間ごとに自動的に番組数、すなわち、最後に番組表が作成されたとき以降に放送が終了した番組数を判定して放送波の受信を指示し、番組表を更新するようなものであっても良い。
【符号の説明】
【００７９】
１  携帯電話機
２  表示筐体
２ａ  ディスプレイ
２ｂ  レシーバ
３  操作筐体
３ａ  操作キー
３ｂ  マイクロホン
１０  主制御部
１１，１３  アンテナ
１２  セルラー通信部
１４  デジタルチューナー
１５  番組情報抽出部
１６  ＲＯＭ
１７  ＲＡＭ
２１  番組表作成部
２２  番組表記憶部
２３  番組表表示部
２４  番組数判定部（放送済み番組数）
２５  閾値記憶部
２６  比較部
２７  受信制御部
２８  番組表更新部
４０  主制御部
４１  番組数判定部（未放送番組数）
５０  携帯情報端末
５１  放送終了時間判定部
【図１】
2010171908.tif 000003
【図２】
2010171908.tif 000004
【図３】
2010171908.tif 000005
【図４】
2010171908.tif 000006
【図５】
2010171908.tif 000007
【図６】
2010171908.tif 000008
【図７】
2010171908.tif 000009
【図８】
2010171908.tif 000010
【図９】
2010171908.tif 000011
【図１０】
2010171908.tif 000012